(57)【特許請求の範囲】
【請求項１】
循環器の拍動周期中の収縮末期と拡張末期における内壁位置の値、及び収縮末期と拡張末期における外壁位置の値を計測するステップと、
前記収縮末期と拡張末期における内壁位置の値、及び前記収縮末期と拡張末期における外壁位置の値に基づいて、循環器の硬さを示す値を算出するステップと
を含み、
前記算出するステップは、
前記収縮末期における外壁位置の値と内壁位置の値の差である収縮末期の壁厚（Ｐｒｅ）と、前記拡張末期における外壁位置の値と内壁位置の値の差である拡張末期の壁厚（Ｐｏｓｔ）とを求め、
前記拡張末期の外壁位置の値と前記収縮末期の外壁位置の値の差を求めることで外壁の変位（Ｄ２）を求め、
前記循環器の硬さを示す値（Ｅ１）を次式で算出する、ことを特徴とする循環器の硬さ計測方法。
【数１】
0004471230.tif 000011
【請求項２】
循環器の拍動周期中の収縮末期と拡張末期における内壁位置の値、及び収縮末期と拡張末期における外壁位置の値を計測するステップと、
前記収縮末期と拡張末期における内壁位置の値、及び前記収縮末期と拡張末期における外壁位置の値に基づいて、循環器の硬さを示す値を算出するステップと
を含み、
前記算出するステップは、
前記収縮末期における外壁位置の値と内壁位置の値の差である収縮末期の壁厚（Ｐｒｅ）と、前記拡張末期における外壁位置の値と内壁位置の値の差である拡張末期の壁厚（Ｐｏｓｔ）とを求め、
前記循環器の硬さを示す値（Ｅ２）を次式で算出する、ことを特徴とする循環器の硬さ計測方法。
【数２】
0004471230.tif 000012
【請求項３】
前記計測するステップが、
対象部位の時間変位データから収縮末期の内壁位置の値を複数確定し、それらの位置の値を平均して収縮末期の内壁位置の値の平均値として計測するステップと、
対象部位の時間変位データから収縮末期の外壁位置の値を複数確定し、それらの位置の値を平均して収縮末期の外壁位置の値の平均値として計測するステップと、
対象部位の時間変位データから拡張末期の内壁位置の値を複数確定し、それらの位置の値を平均して拡張末期の内壁位置の値の平均値として計測するステップと、
対象部位の時間変位データから拡張末期の外壁位置の値を複数確定し、それらの位置の値を平均して拡張末期の外壁位置の値の平均値として計測するステップと、
前記収縮末期の内壁位置の値の平均値、前記収縮末期の外壁位置の値の平均値、前記拡張末期の内壁位置の値の平均値、及び前記拡張末期の外壁位置の値の平均値を、夫々、前記算出するステップにおける収縮末期の内壁位置の値データ、収縮末期の外壁位置の値データ、拡張末期の内壁位置の値データ、及び、拡張末期の外壁位置の値データとするステップと
を含む、請求項１又は２に記載の循環器の硬さ計測方法。
【請求項４】
前記対象部位の時間変位データを、前記対象部位を含む循環器断面に関する時間変動の画像データから作成するステップを、前記算出するステップの前に行う、ことを特徴とする請求項３に記載の循環器の硬さ計測方法。
【請求項５】
循環器の断面に関する画像データから、収縮末期の内壁位置の値、及び、収縮末期の外壁位置の値、並びに拡張末期の内壁位置の値、及び、拡張末期の外壁位置の値を計測する、ことを特徴とする請求項１又は２に記載の循環器の硬さ計測方法。
【請求項６】
循環器の拍動周期中の収縮末期と拡張末期における内壁位置の値、及び収縮末期と拡張末期における外壁位置の値を計測する計測手段と、
前記収縮末期と拡張末期における内壁位置の値、及び前記収縮末期と拡張末期における外壁位置の値に基づいて、循環器の硬さを示す所定の数値を算出する算出手段と
を含み、
前記収縮末期の外壁位置の値と前記収縮末期の内壁位置の値の差を収縮末期の壁厚（Ｐｒｅ）データとし、前記拡張末期の外壁位置の値と前記拡張末期の内壁位置の値の差を拡張末期の壁厚（Ｐｏｓｔ）データとし、前記拡張末期の外壁位置の値と前記収縮末期の外壁位置の値との差を収縮末期から拡張末期までの外壁の変位（Ｄ２）データとして、
前記所定の数値が、次の式で表される数値（Ｅ１）である、ことを特徴とする循環器の硬さ計測装置。
【数３】
0004471230.tif 000013
【請求項７】
循環器の拍動周期中の収縮末期と拡張末期における内壁位置の値、及び収縮末期と拡張末期における外壁位置の値を計測する計測手段と、
前記収縮末期と拡張末期における内壁位置の値、及び前記収縮末期と拡張末期における外壁位置の値に基づいて、循環器の硬さを示す所定の数値を算出する算出手段と
を含み、
前記収縮末期の外壁位置の値と前記収縮末期の内壁位置の値の差を収縮末期の壁厚（Ｐｒｅ）データとし、前記拡張末期の外壁位置の値と前記拡張末期の内壁位置の値の差を拡張末期の壁厚（Ｐｏｓｔ）データとして、
前記所定の数値が、次の式で表される数値（Ｅ２）である、ことを特徴とする循環器の硬さ計測装置。
【数４】
0004471230.tif 000014
【請求項８】
循環器断面に関する映像から、時間変動の画像データを生成し、更に該時間変動の画像データから、対象部位の時間変位データを展開する画像データ生成手段を更に含み、
前記計測手段は、前記対象部位の時間変位データに対して確定される、循環器の拍動周期中の収縮末期と拡張末期における内壁位置の値、及び収縮末期と拡張末期における外壁位置の値を計測することを特徴とする請求項６又は７に記載の循環器の硬さ計測装置。
【請求項９】
循環器の拍動周期中の収縮末期と拡張末期における内壁位置の値、及び、収縮末期と拡張末期における外壁位置の値に関するデータを取得する壁位置取得ステップと、
前記壁位置取得ステップにて取得された、前記収縮末期と拡張末期における内壁位置の値、及び、前記収縮末期と拡張末期における外壁位置の値に関するデータから、循環器の硬さを示す所定の数値を算出する硬さ算出ステップと
を含み、
前記収縮末期の外壁位置の値と前記収縮末期の内壁位置の値の差を収縮末期の壁厚（Ｐｒｅ）データとし、前記拡張末期の外壁位置の値と前記拡張末期の内壁位置の値の差を拡張末期の壁厚（Ｐｏｓｔ）データとし、前記拡張末期の外壁位置の値と前記収縮末期の外壁位置の値との差を収縮末期から拡張末期までの外壁の変位（Ｄ２）データとして、
前記所定の数値が、次の式で表される数値（Ｅ１）であることを特徴とするコンピュータプログラム。
【数５】
0004471230.tif 000015
【請求項１０】
循環器の拍動周期中の収縮末期と拡張末期における内壁位置の値、及び、収縮末期と拡張末期における外壁位置の値に関するデータを取得する壁位置取得ステップと、
前記壁位置取得ステップにて取得された、前記収縮末期と拡張末期における内壁位置の値、及び、前記収縮末期と拡張末期における外壁位置の値に関するデータから、循環器の硬さを示す所定の数値を算出する硬さ算出ステップと
を含み、
前記収縮末期の外壁位置の値と前記収縮末期の内壁位置の値の差を収縮末期の壁厚（Ｐｒｅ）データとし、前記拡張末期の外壁位置の値と前記拡張末期の内壁位置の値の差を拡張末期の壁厚（Ｐｏｓｔ）データとして、
前記所定の数値が、次の式で表される数値（Ｅ２）であることを特徴とするコンピュータプログラム。
【数６】
0004471230.tif 000016
【請求項１１】
前記壁位置取得ステップは、
循環器断面に関する時間変動の画像データから展開される対象部位の時間変位データに対して確定される、循環器の拍動周期中の収縮末期と拡張末期における内壁位置の値、及び、収縮末期と拡張末期における外壁位置の値に関するデータを取得することを特徴とする請求項９又は１０に記載のコンピュータプログラム。
【請求項１２】
循環器の拍動周期中の収縮末期と拡張末期における内壁位置の値、及び収縮末期と拡張末期における外壁位置の値を計測するステップと、
前記収縮末期と拡張末期における内壁位置の値、及び前記収縮末期と拡張末期における外壁位置の値に基づいて、循環器の柔らかさを示す値を算出するステップと
を含み、
前記算出するステップは、
前記収縮末期における外壁位置の値と内壁位置の値の差である収縮末期の壁厚（Ｐｒｅ）と、前記拡張末期における外壁位置の値と内壁位置の値の差である拡張末期の壁厚（Ｐｏｓｔ）とを求め、
前記拡張末期の外壁位置と前記収縮末期の外壁位置の差を求めることで外壁の変位（Ｄ２）を求め、
循環器の柔らかさを示す値（Ｃ１）を次式で算出することを特徴とする循環器の硬さ計測方法。
【数７】
0004471230.tif 000017
【請求項１３】
循環器の拍動周期中の収縮末期と拡張末期における内壁位置の値、及び収縮末期と拡張末期における外壁位置の値を計測するステップと、
前記収縮末期と拡張末期における内壁位置の値、及び前記収縮末期と拡張末期における外壁位置の値に基づいて、循環器の柔らかさを示す値を算出するステップと
を含み、
前記算出するステップは、
前記収縮末期における外壁位置と内壁位置の差である収縮末期の壁厚（Ｐｒｅ）と、前記拡張末期における外壁位置と内壁位置の差である拡張末期の壁厚（Ｐｏｓｔ）とを求め、
循環器の柔らかさを示す値（Ｃ２）を次式で算出することを特徴とする循環器の硬さ計測方法。
【数８】
0004471230.tif 000018
【請求項１４】
請求項６又は７に記載の硬さ計測装置により算出された循環器の硬さを示す所定の数値を、計測対象区画、及び、一つ又は複数のデータ項目と共に記録するレコードを多数格納する循環器硬さ指標データベースに関するデータ処理を行う、データベースサーバであって、
指定されたデータ項目の種別の情報、前記指定されたデータ項目に係る具体的数値の情報、及び循環器の硬さを示す所定の数値の具体的値の情報を、第１の装置から受け取る受信手段と、
指定されたデータ項目の値が、前記指定されたデータ項目に係る具体的数値と一致する、若しくは、前記指定されたデータ項目に係る具体的数値と所定の条件にあるレコードを抽出する抽出手段と、
抽出された複数の前記レコードを区画毎に分け、各区画での前記循環器の硬さを示す所定の数値に関する統計値を計算する計算手段と、
区画毎の前記統計値を基にして、受け取った循環器の硬さを示す所定の数値の具体的値の、統計データ全体の中での相対的位置を判定する判定手段と、
前記判定された相対的位置の情報を前記第１の装置に送る送信手段と
を含む、データベースサーバ。
【発明の詳細な説明】
【技術分野】
【０００１】
本発明は、循環器系、特に心臓の硬さ（柔軟性）を定量的に計測する装置、及び方法に関する。
【背景技術】
【０００２】
近年、駆出率を保持したまま心不全に罹患する率が増加している。このような心不全は、左室（ＬＶ）拡張期機能障害から生じるのであり拡張期心不全（ＤＨＦ；Ｄｉａｓｔｏｌｉｃ  Ｈｅａｒｔ  Ｆａｉｌｕｒｅ）と称される。心不全の臨床症状は明確なものではなく、拡張期心不全（ＤＨＦ）の確定診断には、拡張期機能障害の探知が要求される。特に、心臓の壁の硬さの増大は、このタイプの心不全の悪化において決定的役割を果たしてしまう。
【０００３】
つまり、心臓が硬くなるにつれて、心臓の負担は増大する。よって、心臓の疾病の予防や治療において心臓の硬さを認識することが重要である。ところが心臓の硬さを正確に評価するためには、心臓の動きと心臓内の圧力の両方を計測する必要がある。このうち心臓の動きについては超音波診断装置で計測され得る。
【０００４】
しかしながら、心臓内の圧力の計測は、患者の循環器系内にカテーテルを入れない限り不可能である。このような侵襲の診断方式は、患者に負担をかけるとともに煩雑な作業を要するため、通常、患者からも医療現場からも敬遠されがちである。
【０００５】
従来の心臓の硬さを評価する研究として、超音波診断装置により左房から左室への血液の流入動態を計測することによるもの（非特許文献１、２参照）がある。この研究に係る評価方法では、左室流入血流速波形が、左室拡張期機能障害に伴い二相性の変化を取ってしまうため、実際に心臓の硬さを精度よく評価できるまでには至っていない。
【０００６】
このように、壁硬さを含む左室拡張機能に関する非侵襲での評価法は未だ確立されていない。拡張期心不全の確定診断、即ち、拡張期心不全の重症度評価は、現在でも困難である。
【０００７】
なお、本願の先行発明として特許文献１に係るものが挙げられるが、特許文献１では、循環器医が切望している、自ら能動的に拍動を行う心臓の硬さを測定することを目的としていないことが強く示唆されている。
【特許文献１】特開２００７−８２７２５号公報
【非特許文献１】Little WC, et al.  Determination of left ventricular chamber stiffness from the time for deceleration of early left ventricular filling.  Circulation 1995; 92: 1933-9
【非特許文献２】Marino P, et al.  Can left ventricular diastolic stiffness be measured noninvasively?  J Am Soc Echocardiogr 2002;15:935-43
【発明の開示】
【発明が解決しようとする課題】
【０００８】
以上のように、従来、心臓の硬さを評価するためには、患者の体内にカテーテルを挿入する必要があり、患者に負担をかけるとともに医療スタッフに対しても煩雑な作業が必要であった。このため、非侵襲で心臓の硬さの評価を行う技術の確立が要望されている。
【０００９】
本発明は、上記課題を解決すべくなされたものであり、その目的とするところは、心臓の硬さの評価を非侵襲で行うことを可能とする、心臓の硬さの計測方法を提供することにある。
【課題を解決するための手段】
【００１０】
本発明は、上記の目的を達成するために為されたものである。本発明に係る循環器系硬さ計測方法は、
循環器の拍動周期中の収縮末期と拡張末期における内壁位置の値、及び収縮末期と拡張末期における外壁位置の値を計測するステップと、
前記収縮末期と拡張末期における内壁位置の値、及び前記収縮末期と拡張末期における外壁位置の値に基づいて、循環器の硬さを示す値を算出するステップと
を含み、
前記算出するステップは、
前記収縮末期における外壁位置の値と内壁位置の値の差である収縮末期の壁厚（Ｐｒｅ）と、前記拡張末期における外壁位置の値と内壁位置の値の差である拡張末期の壁厚（Ｐｏｓｔ）とを求め、
前記拡張末期の外壁位置の値と前記収縮末期の外壁位置の値の差を求めることで外壁の変位（Ｄ２）を求め、
前記循環器の硬さを示す値（Ｅ１）を所定式で算出することを特徴とする循環器の硬さ計測方法である。
【００１１】
本発明に係る循環器の硬さ診断装置は、
循環器の拍動周期中の収縮末期と拡張末期における内壁位置の値、及び収縮末期と拡張末期における外壁位置の値を計測する計測手段と、
前記収縮末期と拡張末期における内壁位置の値、及び前記収縮末期と拡張末期における外壁位置の値に基づいて、循環器の硬さを示す所定の数値を算出する算出手段と
を含み、
前記収縮末期の外壁位置の値と前記収縮末期の内壁位置の値の差を収縮末期の壁厚（Ｐｒｅ）データとし、前記拡張末期の外壁位置の値と前記拡張末期の内壁位置の値の差を拡張末期の壁厚（Ｐｏｓｔ）データとし、前記拡張末期の外壁位置の値と前記収縮末期の外壁位置の値との差を収縮末期から拡張末期までの外壁の変位（Ｄ２）データとして、
前記所定の数値が、所定式で表される数値（Ｅ１）であることを特徴とする循環器の硬さ計測装置である。
【００１２】
本発明に係るコンピュータプログラムは、
循環器の拍動周期中の収縮末期と拡張末期における内壁位置の値、及び、収縮末期と拡張末期における外壁位置の値に関するデータを取得する壁位置取得ステップと、
前記壁位置取得ステップにて取得された、前記収縮末期と拡張末期における内壁位置の値、及び、前記収縮末期と拡張末期における外壁位置の値に関するデータから、循環器の硬さを示す所定の数値を算出する硬さ算出ステップと
を含み、
前記収縮末期の外壁位置の値と前記収縮末期の内壁位置の値の差を収縮末期の壁厚（Ｐｒｅ）データとし、前記拡張末期の外壁位置の値と前記拡張末期の内壁位置の値の差を拡張末期の壁厚（Ｐｏｓｔ）データとし、前記拡張末期の外壁位置の値と前記収縮末期の外壁位置の値との差を収縮末期から拡張末期までの外壁の変位（Ｄ２）データとして、
前記所定の数値が、所定式で表される数値（Ｅ１）であることを特徴とするコンピュータプログラムである。
【発明の効果】
【００１３】
本発明によれば、心臓の内壁及び外壁の位置及び変位の値を用いて心臓の硬さを定量的に算出できる。心臓の内壁及び外壁の位置及び変位の値は超音波画像等から容易に取得することができることから、従来のように、心臓の硬さを評価するためにカテーテルを体内に挿入する必要がなくなり、よって、非侵襲での心臓の硬さの評価が可能となる。これにより、患者の負担を軽減できるとともに、医療スタッフの作業負担も軽減できる。
【発明を実施するための最良の形態】
【００１４】
以下、図面を参照して本発明に係る好適な実施形態を説明する。本明細書の「循環器」という用語は、少なくとも、心臓と血管を含むものである。
【００１５】
［心臓の硬さの計測方法］
本発明に係る心臓の硬さの計測方法の実施形態について説明する。本願発明の発明者らは、心臓の硬さの評価に関する研究において以下のような知見に到達した。
【００１６】
なお、本明細書における「硬さ」とは、外力によってひずみ（変形）を受けている物質がそのひずみをもとに戻そうとする力を生じる性質のことであり、弾性と同義である。従って、本明細書の「硬さ」には、「弾性」や「柔らかさ」などの言葉を当てることもできる。
【００１７】
図１は、心臓（又は、血管）の単純モデルを示した図である。図１に示すように、心臓３０に対して仮想平面Ｑにより横断面を取ると、例えば、図２（１）、（２）に示すように、断面は環状の形状となる。
【００１８】
生体における心臓は周期的に収縮と拡張を繰り返す。このため、心臓３０の内壁３２と外壁３４も、断面の中心に対して周期的な収縮と拡張という拍動運動を行うことになる。なお、内壁３２とは心臓を構成する壁の内側表面であり、外壁３４とは同壁の外側表面である。正常な即ち健康な心臓の場合、心臓を構成する筋肉が十分な柔らかさを有していることから、心臓自体の収縮と拡張による内壁３２の拍動運動に対し、外壁３４は殆ど変化しない。これに対して、心臓を構成する筋肉が硬い場合（即ち、拡張期機能障害を生じてしまうような場合）、内壁３２の拍動運動とほぼ同位相で外壁３４も連動して動いてしまう。丁度、内壁３２と外壁３４の間に硬い棒を挟み込んだのと同じような状況が現れてしまう。以下、より具体的に説明する。
【００１９】
図２（１）は、十分な柔らかさを有する心臓の模式的な断面図である。実線は収縮末期における内壁３２と外壁３４の位置を示す。“Ｐｒｅ”は収縮末期における壁厚（内壁と外壁の距離）である。破線は拡張末期における内壁３２の位置を示し“Ｐｏｓｔ”は拡張末期における壁厚（内壁と外壁の距離）である。拡張末期における外壁の位置が示されていないが、これは拡張末期における外壁が収縮末期における外壁３４から略変位していないからである。図２（１）は、収縮末期と拡張末期の間で内壁３２から外壁３４までの筋肉の柔らかさにより、拡張による筋肉の変動が吸収されてしまうことを示している。
【００２０】
一方、図２（２）は、硬い心臓の模式的な断面図である。実線、Ｐｒｅ及びＰｏｓｔの示すものは、図２（１）と同様である。更に、図２（２）では、破線は拡張末期における内壁３２と外壁３４の位置を示す。図２（２）は、心臓を構成する筋肉の硬さのため、収縮末期と拡張末期の間で内壁３２と外壁３４が略同位相で連動して動くことを示している。
【００２１】
つまり、収縮末期又はその近傍期の心臓の壁厚（内壁と外壁間の厚さ）をＰｒｅ、拡張末期又はその近傍期の心臓の壁厚をＰｏｓｔとしたとき、十分柔らかい心臓の場合、図３に示すように、それらの差分ｆ（Ｐｒｅ，Ｐｏｓｔ）＝（Ｐｒｅ−Ｐｏｓｔ）は大きな値となり、十分硬い心臓の場合、それらの差分ｆ（Ｐｒｅ，Ｐｏｓｔ）は略０になる。このように、本願の発明者は心臓の変位と心臓の硬さ（弾性）との間に相関関係があることを発見した。
【００２２】
本願の発明者は以上のような知見に基づき、心臓の拍動周期運動に連動して変化する内壁３２及び外壁３４の変位及び位置に基づき心臓の硬さ（弾性）を評価できると考えた。以上の知見は心臓及び血管を含む循環器に適合するものであり、特に左心室の硬さ（弾性）評価において有効である、と本願発明者は想定している。
【００２３】
［心臓の柔らかさ／硬さの具体的判断方法について］
十分な柔らかさを有する心臓（図２（１）参照）と、硬い心臓（図２（２）参照）との、内壁３２と外壁３４の変位について、さらに詳しく説明する。図４は、例えば、図１に示す平面Ｑによる心臓３０の、超音波画像による断面図の模式的な例である。図４にて、変位計測対象部位の内壁３２における点を「Ａ」と設定し、外壁３４における点を「Ｂ」と設定する。符号３６で示す軸は、この断面の心臓３０の中心Ｐと、点「Ａ」、点「Ｂ」を通る軸である。計測対象の心臓が十分な柔らかさを有する心臓（図２（１）参照）である場合と、計測対象心臓が硬い心臓（図２（２）参照）である場合とにおける、点Ａ及び点Ｂの時間変位を示すと、夫々、図５（１）と図５（２）とに示すグラフのようになる。ここで、議論を簡略化するために、図５に示すグラフに係る心臓は、規則正しく周期的な動作を繰り返しているものとする。
【００２４】
なお、図６に、心臓に関する超音波診断装置による実際の画像を示す。図６（１）に示す画像図は、図６（２）に示す画像図内の略中央の縦点線上の部位の時間変位図である（横軸が時間軸である）。図５（１）と図５（２）は、図６（１）の画像内の、点Ａに相当する部位と点Ｂに相当する部位の位置及び変位のみを抽出して示した画像に相当する。
【００２５】
図５を参照すると、内壁（実線Ａ）の周期的な収縮拡張に対して、十分な柔らかさを有する心臓では、図５（１）に示すように、外壁（実線Ｂ）が殆ど動かず、硬い心臓では、図５（２）に示すように、外壁（実線Ｂ）が、内壁（実線Ａ）と同じように動く。
【００２６】
図５（１）、（２）における破線枠ｕ、破線枠ｖは、一つの収縮末期から次の拡張末期までの内壁と外壁の位置及び変位を示す。図７（１）、（２）は、これらの破線枠ｕ・破線枠ｖを拡大したものである。図７（１）は破線枠ｕに対応するもの、図７（２）は破線枠ｖに対応するものである。“Ｐｒｅ”は収縮末期の壁厚、“Ｐｏｓｔ”は拡張末期の壁厚、“Ｄ１”は収縮末期から拡張末期までの内壁の変位、“Ｄ２”は収縮末期から拡張末期までの外壁の変位である。これらの図から明らかなように、“Ｐｒｅ”、“Ｐｏｓｔ”、“Ｄ１”、及び“Ｄ２”には、以下の関係が成立する。
【００２７】
【数１】
0004471230.tif 000002
【００２８】
図８は、図６（１）に示すような心臓に関する実際の超音波画像の一部を拡大して示した図である。図８（１）に示す図は、柔らかい心臓に関して得られた画像を示し、図８（２）に示す図は、硬い心臓に関して得られた画像を示す。図８に示す画像上で内壁の時間変位の曲線と外壁の時間変位の曲線を特定し、収縮末期の内壁の位置の値と拡張末期の内壁の位置の値、及び、収縮末期の外壁の位置の値と拡張末期の外壁の位置の値をそれぞれ求める（計測する）ことで、収縮末期から拡張末期までの内壁の変位“Ｄ１”、及び、収縮末期から拡張末期までの外壁の変位“Ｄ２”を求めることができる（図８（１）及び（２）参照）。
【００２９】
ここで、図９に示すような心臓のモデルを想定し、心臓のヤング率を“Ｅ”、内壁にかかる応力を“ρ”とすると、心臓のひずみに関して次のような関係式が成り立つ。
【００３０】
【数２】
0004471230.tif 000003
【００３１】
ところで、心臓の外壁３４は、図９に模式的に示すように、薄い心外膜に覆われる。心外膜の外側には、外部組織３８が存在する。ここで、外壁３４へ作用する抵抗を表す仮想ヤング率Ｅｅを想定する。図９に示すように、仮想ヤング率Ｅｅは、心臓形状“ｘ”、心臓ヤング率“Ｅ”、心外膜“Ｅｍ”、及び外部組織“Ｅｎ”に依存する。
【００３２】
図９に示す仮想ヤング率Ｅｅに対する仮想長さを“Ｌｅ”とすると、仮想ひずみは“Ｄ２／Ｌｅ”となり、応力ρとの間に以下の関係式が成り立つ。
【００３３】
【数３】
0004471230.tif 000004
【００３４】
上記の式（２）と式（３）から応力ρを消去すると以下の式となる。
【００３５】
【数４】
0004471230.tif 000005
【００３６】
上式（４）において、Ｋｅ＝（Ｅｅ／Ｌｅ）を、外壁への抵抗におけるバネ定数であるとして、一定のものであると仮定すると、以下の比例式が導かれる。
【００３７】
【数５】
0004471230.tif 000006
【００３８】
比例式（５）は、
（１）収縮末期と拡張末期との間の、心臓のひずみ（Ｐｒｅ−Ｐｏｓｔ）／ｐｒｅが小さいほど、
（２）外壁の変位“Ｄ２”が大きいほど、
心臓ヤング率“Ｅ”が大きい（即ち、心臓が硬い）ことを示している。
【００３９】
ここで、以下の指標“Ｅ１”を心臓硬さ指標と称することとする。
【００４０】
【数６】
0004471230.tif 000007
【００４１】
また、上式（６）において次式のように係数Ｄ２を省略した比率“Ｅ２”も心臓硬さ指標として用いることができる。
【００４２】
【数７】
0004471230.tif 000008
上記の（１）心臓のひずみと、（２）外壁の変位とから、心臓の硬さ（弾性）が判断され得るということは、図５及び図７に示すような内壁と外壁の位置及び変位の平均量から、心臓の柔らかさ硬さが判断され得るということになる。
【００４３】
なお、本明細書では、心臓硬さ指標（Ｅ１，Ｅ２）の定義式（式（６）、（７））に含まれる内壁及び外壁の変位、並びに内壁及び外壁の壁厚を求めるに当たって、収縮末期の内壁位置の値、収縮末期の外壁位置の値、拡張末期の内壁位置の値、及び、拡張末期の外壁位置の値を計測して利用することを記している。内壁及び外壁の変位、並びに内壁及び外壁の壁厚を求めるに当たっては、内壁又は外壁に関する他の位置の値データが利用されてもよい。例えば、収縮末期から所定の微小期間後の内壁位置の値と外壁位置の値、及び、収縮末期よりも所定の微小期間前の内壁位置の値と外壁位置の値が、用いられてもよい。また、例えば、拡張期中の第１と第２の位相における内壁位置の値、及び拡張期中の第１と第２の位相における外壁位置の値が、用いられてもよい。更に、条件に拠っては、拍動周期中の第１と第２の位相における内壁位置の値及び外壁位置の値が、用いられ得ることも想定される。
【００４４】
図１０に、上述の方法で心臓の内壁及び外壁の位置及び変位の値を計測し、その計測値を基に式（６）、（７）を用いて心臓硬さ指標Ｅ１、Ｅ２を求めた結果を示す。図１０（１）は上式（６）により、図１０（２）は上式（７）により、それぞれ心臓硬さ指標Ｅ１、Ｅ２を求めた結果を示す。
【００４５】
図１０（１）は、（ａ）健康である者（Ｎ；Ｎｏｒｍａｌ）１２人と、（ｂ）拡張期心不全に罹患している者（ＤＨＦ；Ｄｉａｓｔｏｌｉｃ  Ｈｅａｒｔ  Ｆａｉｌｕｒｅ）１０人に関して、式（６）を用いて心臓硬さ指標Ｅ１を算出し、その結果をプロットした図である。平均値、分散、標準偏差、標準誤差は、図１０（１）に示すようになったが、特に「ｐ値」に関しては、ｐ＝０．０００６という数字となった。
【００４６】
また、図１０（２）は、（ａ）健康である者（Ｎ）１５人と、（ｂ）拡張期心不全に罹患している者（ＤＨＦ）１５人に関して、式（７）を用いて心臓硬さ指標Ｅ２を算出し、その結果をプロットした図である。平均値、分散、標準偏差、標準誤差は、図１０（２）に示すようになったが、特に「ｐ値」に関しては、ｐ＝０．００１１という数字となった。
【００４７】
図１０（１）、（２）の双方とも、健康である者に対する心臓硬さ指標（ａ）に対して、拡張期心不全に罹患する者に対する心臓硬さ指標（ｂ）は全体的に高めの値を示している。拡張期心不全に罹患する者の心臓は健康である者よりも硬いことが知られていることから、式（６）及び式（７）による硬さ（弾性）の評価の正当性が確認できる。なお、ｐ値に関して、図１０（２）に示す結果よりも図１０（１）で示す結果の方がより良好な値を示しており、このことは、式（６）の方が式（７）よりも、より精度よく硬さ（弾性）の評価が可能となることを示している。
【００４８】
以上のように、本実施形態の硬さ計測方法によれば、上記の式（６）または式（７）を用いて心臓の硬さ（心臓硬さ指標）を定量的に評価できる。その際、心臓の内壁及び外壁の位置及び変位の値を用いて算出でき、これらの値は超音波画像から容易に計測して得ることができることから、従来のように、心臓の硬さ（弾性）を評価するためにカテーテルを体内に挿入する必要がなくなる。よって、非侵襲で心臓の硬さ（弾性）の評価を行えるため、患者の負担を軽減できるとともに、医療スタッフの作業負担も軽減できる。
【００４９】
［超音波診断装置］
上述の心臓の硬さの計測方法を用いて硬さ（弾性）の計測を行う超音波診断装置について説明する。図１１は、本実施の形態の超音波診断装置の概略構成図である。本実施の形態の超音波診断装置２は、被験者の検査対象部位に超音波を当ててその反響を映像化する機能とともに、さらに被験者の心臓の硬さ（弾性）の計測を行う機能を有する。
【００５０】
図１１に示すように、超音波診断装置２は、本体４、超音波画像を表示する表示部１２、利用者から本装置２への操作を入力するための操作部１４、及び、ケーブル２０で本体４と接続され超音波の発信受信により対象（例えば、人体内部）に関する超音波映像を撮像するプローブ１８を含む。プローブ１８のハードウエア構成は、従来の超音波診断装置において用いられる超音波映像を生成するための構成と同様である。
【００５１】
本体４は、制御部６と、制御プログラムや計測したデータ等を格納するデータ格納部８と、外部のネットワークに接続するための通信インタフェース１０とを備える。超音波診断装置２は通信インタフェース１０を介してデータやプログラムを外部のサーバと送受信することができる。制御部６はＣＰＵを含んでおり、ＣＰＵが制御プログラムを実行することで、後述する制御部６の各処理部６１、６３、・・・の機能が実現される。
【００５２】
制御部６は、プローブ１８により撮像された映像をデータ化し、データ格納部８に格納する画像データ生成部６１と、心臓の内壁及び外壁の位置の値を計測して取得する壁位置値計測取得部６３と、上述の計測方法に従い硬さを算出する硬さ算出部６５と、表示部１２上での表示を制御する表示制御部６７とを含む。
【００５３】
なお、超音波診断装置２の本体４には、データやプログラムを記録する外部メモリ１６が付属する。制御プログラムは、この外部メモリ１６に格納されていてもよい。
【００５４】
超音波診断装置２は、循環器、特に、人体を含む動物の心臓を計測の対象物とする。より具体的には、超音波診断装置２は、心臓３０における内壁３２と外壁３４の平均的位置及び変位の値を計測して数値化する。
【００５５】
前述のように、内壁３２と外壁３４の平均的位置及び変位の値の計測の際には、例えば、収縮末期から所定の微小期間後の内壁位置の値と外壁位置の値、及び収縮末期よりも所定の微小期間前の内壁位置の値と外壁位置の値が計測されて用いられてもよく、拡張期中の第１と第２の位相における内壁位置の値、及び拡張期中の第１と第２の位相における外壁位置の値が計測されて用いられてもよい。更に、条件に拠っては、拍動周期中の第１と第２の位相における内壁位置の値並びに外壁位置の値が計測されて用いられてもよい。
本実施形態に係る超音波診断装置では、収縮末期の内壁位置の値、収縮末期の外壁位置の値、拡張末期の内壁位置の値、及び、拡張末期の外壁位置の値が計測されて利用されることとしている。
【００５６】
以下に超音波診断装置２の動作を説明する。プローブ１８は、超音波を被験者の対象部位に照射し、その反響に基づき図６、８に示すような超音波映像を生成する。この超音波映像は、表示制御部６７によって表示部１２上に表示される。さらに、画像データ生成部６１は、超音波映像の映像信号をデータ化し、超音波画像データとしてデータ格納部８に格納する。壁位置値計測取得部６３は、データ格納部８に格納された超音波画像データから、収縮末期及び拡張末期における心臓の内壁及び外壁の位置の値を計測（取得）し、計測（取得）した位置の値をデータ格納部８に保存する。壁位置値計測取得部６３による、この処理の詳細は後述する。なお、操作部１４を介してユーザが収縮末期及び拡張末期における心臓の内壁及び外壁の位置の値を入力してもよく、この場合、壁位置値計測取得部６３は、ユーザにより入力された値をデータ格納部８に格納する。硬さ算出部６５は、壁位置値計測取得部６３により計測（取得）された内壁及び外壁の位置の値情報をデータ格納部８から読み出し、それらの値情報と、式（６）または式（７）とを用いて、心臓硬さ指標Ｅ１、Ｅ２を算出する。算出した心臓硬さ指標Ｅ１、Ｅ２はデータ格納部８に格納されるとともに、表示部１２上に表示される。
【００５７】
次に、壁位置値計測取得部６３による壁位置値計測取得処理の詳細を説明する。心臓の硬さ（弾性）の計測で必要とされる数値は、計測対象である心臓部位の、内壁と外壁の平均的な位置及び変位の値である。プローブ１８及び画像データ生成部６１により、対象部位を含む横断面（図４における点Ａ、点Ｂ参照）の超音波画像と、その超音波画像に基づいて対象部位の外壁と内壁の時間変位を展開した画像（図５又は図８参照）とが得られる。壁位置値計測取得部６３は、図８に示すような外壁と内壁の時間変位を展開した画像から、収縮末期の外壁位置の値、内壁位置の値、拡張末期の外壁位置の値、及び、内壁位置の値を、複数組分計測（取得）し、個々の位置の値について平均値を取ることで内壁と外壁の変位Ｄ１、Ｄ２の値を導出する。これら位置の値のデータ計測（取得）に当たって、画像（図５又は図８参照）上の点がマウスやポインタなどでクリック動作等により確定されれば、その点に関する位置の値のデータが計測（取得）される、というような仕組みが利用されるのであってもよい。
【００５８】
例えば、図８に示す画像から、心臓における内壁の一点及びその一点の近傍の外壁の一点の時間的変位から内壁と外壁の位置及び変位の平均量を算出するために、壁位置値計測取得部６３は以下の処理を行う。
ステップ１）；超音波画像における収縮末期の内壁位置の値を複数確定し（図１２における点Ａｐｒ１、点Ａｐｒ２、点Ａｐｒ３、点Ａｐｒ４）、それらの位置の値を平均して、収縮末期の内壁位置の値の平均値として計測（取得）する。
ステップ２）；超音波画像における収縮末期の外壁位置の値を複数確定し（図１２における点Ｂｐｒ１、点Ｂｐｒ２、点Ｂｐｒ３、点Ｂｐｒ４）、それらの位置の値を平均して、収縮末期の外壁位置の値の平均値として計測（取得）する。
ステップ３）；超音波画像における拡張末期の内壁位置の値を複数確定し（図１２における点Ａｐｏ１、点Ａｐｏ２、点Ａｐｏ３、点Ａｐｏ４）、それらの位置の値を平均して、拡張末期の内壁位置の値の平均値として計測（取得）する。
ステップ４）；超音波画像における拡張末期の外壁位置の値を複数確定し（図１２における点Ｂｐｏ１、点Ｂｐｏ２、点Ｂｐｏ３、点Ｂｐｏ４）、それらの位置の値を平均して、拡張末期の外壁位置の値の平均値として計測（取得）する。
ステップ５）；収縮末期の内壁位置の値の平均値と拡張末期の内壁位置の値の平均値から、内壁の変位の平均値を算出する。収縮末期の外壁位置の値の平均値と拡張末期の外壁位置の値の平均値から、外壁の変位の平均値を算出する。
【００５９】
なお、上記の１）から４）のステップは、どのような順序で行われてもかまわない。
【００６０】
また、壁位置値計測取得部６３が行う処理は、以下のステップＡ）〜Ｃ）のようなものであってもよい。なお、このときに硬さ算出部６５が行う処理も、記している。
ステップＡ）；超音波画像において一つの拍動における収縮末期の内壁位置（図１２の点Ａｐｒ１）の値、収縮末期の外壁位置（図１２の点Ｂｐｒ１）の値、拡張末期の内壁位置（図１２の点Ａｐｏ１）の値、及び、拡張末期の外壁位置（図１２の点Ｂｐｏ１）の値を計測する。それら収縮末期の内壁位置の値及び外壁位置の値、並びに拡張末期の内壁位置の値及び外壁位置の値に基づいて、硬さ算出部６５は、この拍動における心臓硬さ指標Ｅ１、Ｅ２を算出する。
ステップＢ）；上記ステップＡ）で対象とした拍動に続く複数の拍動についても、夫々、収縮末期の内壁位置（図１２の点Ａｐｒ２〜４）の値、収縮末期の外壁位置（図１２の点Ｂｐｒ２〜４）の値、拡張末期の内壁位置（図１２の点Ａｐｏ２〜４）の値、及び、拡張末期の外壁位置（図１２の点Ｂｐｏ２〜４）の値を計測する。それら収縮末期の内壁位置の値及び外壁位置の値、並びに拡張末期の内壁位置の値及び外壁位置の値に基づいて、硬さ算出部６５は、夫々の拍動における心臓硬さ指標Ｅ１、Ｅ２を算出する
ステップＣ）；必要に応じて、硬さ算出部６５は、上記ステップＡ）Ｂ）で計算された複数の拍動における心臓硬さ指標Ｅ１、Ｅ２の平均値を算出する。
【００６１】
本実施形態の超音波診断装置２において、硬さ（弾性）計測の計測領域を複数設定し、各領域毎に硬さ計測の結果が視覚的に認識できるようにしてもよい。例えば、心臓を複数の区画に分け、夫々の区画に一つ又は複数の計測対象部位を設定し、それら設定された対象部位毎に硬さを計測し、その結果を区画毎に表示するようにする。
【００６２】
より具体的には、図１３に示すように、心臓上に複数の区画Ｐ、区画Ｑを設定し、各区画に含まれる対象部位Ｓ１、Ｓ２及びＴ１、Ｔ２に対して心臓硬さ指標（Ｅ１、Ｅ２）を算出し、データ格納部８に保持しておく。表示制御部６７は、各区画に含まれる対象部位の心臓硬さ指標に基づき、その区画の表示色、輝度、パターン等を決定し、表示させる。この際、後で説明するデータベースから算出される統計データを基にして、表示色、輝度、パターン等を決定してもよい。この場合は、統計データ内での相対的指標が可視的に示されることになる。
【００６３】
心臓硬さ指標値そのものを複数グレードに区切り、個々のグレードに対して表示色、輝度、パターン等を定義してもよい。例えば、心臓硬さ指標Ｅ１が“０．２未満”ならば表示色を黄色とし、“０．２以上０．８以下”ならば表示色を桃色とし“０．８より大きい”ならば赤色にする、としてもよい。グレードを１０段階以上としてもよい。これらの場合には、心臓硬さ指標の絶対値に関するグレードが、可視的に示されることになる。
【００６４】
［心臓硬さ指標データベース］
図１１に示す本実施の形態の超音波診断装置２は、心臓硬さ指標データベースと共に利用されることが好ましい。図１４は、本実施の形態に係る超音波診断装置２及び心臓硬さ指標データベース８２を含む心臓硬さ計測ネットワークシステムの概略の構成図である。
【００６５】
図１４に示す心臓硬さ計測ネットワークシステムでは、複数の超音波診断装置２、パソコンなどの複数のコンピュータ７２、及びデータベースサーバ８０が、所定のネットワーク７０を介して接続している。データベースサーバ８０には、複数のデータベースが付属し、その中には心臓硬さ指標データベース８２が含まれる。
【００６６】
図１５は、心臓硬さ指標データベース８２のデータ構造の例である。図１５に示す心臓硬さ指標データベースは、管理するデータ項目として、被計測者ＩＤ、生年月日、計測日、区画、心臓硬さ指標（Ｅ１、Ｅ２）、性別、身長、体重、人種、及び病状を有し、これらを互いに関連付けて管理する。
【００６７】
被計測者は被計測者ＩＤ（識別子）により識別される。各被計測者に対して心臓硬さ指標Ｅ１、Ｅ２が記録される。同時に、被計測者に関する情報、即ち、生年月日、性別、身長、体重、人種、及び病状などがデータ項目として記録される。ここで、性別、人種、病状などのデータ項目は、コード化して記録されるのが好ましい（例えば、病状コードには、健康であるなら「０」、軽い拡張期心不全であるなら「１」、重い拡張期心不全であるなら「３」、中くらいの重さの拡張期心不全であるなら「２」が記録される）。更に計測日が記録される。
【００６８】
上記のデータは、本実施形態に係る超音波診断装置２による心臓硬さ指標の計測時に、同時に操作部１４から入力され、心臓硬さ指標データベース８２に記録されるのが好ましい。又は、ＭＳ−ＥＸＣＥＬ（登録商標）などの表計算ソフトウエアを利用して、各コンピュータ７２から入力されて同データベース８２に記録されてもよい。要するに、本発明に係る心臓の硬さ計測方法により計測された多数の被計測者の心臓硬さ指標に関する結果が、心臓硬さ指標データベース８２に記録されるのが好ましい。
【００６９】
続いて、図１４及び図１５に示す心臓硬さ指標データベース８２を利用して、計測対象者の相対的指標を決定するデータベースサーバ８０の動作を、図１６のフローチャートを用いて説明する。
【００７０】
まず、超音波診断装置２の操作者が、年齢５０歳の計測対象者を計測しているものと仮定する。操作部１４上での操作者による操作に基づき、制御部６は、指定されたデータ項目（ここでは、年齢）に関して統計データと対照させるというコマンドと、計測対象者のそのデータ項目の値（ここでは、年齢５０歳）と、区画別の心臓硬さ指標（Ｅ１、Ｅ２）の値とを、検索キー情報として送信する。データベースサーバ８０は、ネットワーク７０を経由して、その検索キー情報を受信する（ステップＳ０１）。
【００７１】
データベースサーバ８０は、送信されてきた計測対象者の検索キー情報（年齢、及び年齢５０歳であること）を基にして、対照統計データに加えるべきレコードを抽出する（ステップＳ０２）。ここでの例では、各レコードの生年月日と計測日とから年齢が算出され、年齢５０歳となる被計測者のレコードが抽出されることになる。
【００７２】
次に、データベースサーバ８０は、抽出された多数のレコードを区画毎に分け、各区画での心臓硬さ指標（Ｅ１、Ｅ２）に関する統計値を計算する（ステップＳ０３）。統計値は、例えば、平均値や標準偏差などである。このとき、更に、抽出された多数のレコードが区画別に分けられないで、心臓全体の心臓硬さ指標に関する統計値が計算されてもよい。
【００７３】
データベースサーバ８０は、区画毎の統計値（平均値、標準偏差）を基にして、計測対象者の心臓硬さ指標（Ｅ１、Ｅ２）の、統計データ全体の中での相対的位置を判定する（ステップＳ０４）。この相対的位置に応じて、各超音波診断装置２は、図１３に示したような心臓の区画毎に表示を変更する際の、表示色、輝度、又はパターンを決定することになる。
例えば、計測対象者の心臓硬さ指標Ｅ１が、
（１）“Ｍ−２Ｄ未満”、
（２）“Ｍ−２Ｄ以上Ｍ−Ｄ未満”、
（３）“Ｍ−Ｄ以上Ｍ＋Ｄ未満”、
（４）“Ｍ＋Ｄ以上Ｍ＋２Ｄ未満”、
（５）“Ｍ＋２Ｄより大きい”
の、いずれに位置するかを判定する、などである（ここで、Ｍは平均値、Ｄは標準偏差を表す）。
このとき、計測対象者に関する区画別の心臓硬さ指標の値からその人の心臓全体に関する心臓硬さ指標が求められ、上記の心臓全体の統計値を基にして、計測対象者の心臓全体に関する心臓硬さ指標の、統計データ全体の中での相対的位置も判定されてもよい。
【００７４】
判定された相対的位置の情報を、データベースサーバ８０は、超音波診断装置２に送信する（ステップＳ０５）。各超音波診断装置２は、計測対象者の心臓の夫々の区画について、若しくは心臓全体について、この情報に従って表示色、輝度、又はパターンを決定し、統計データ内での相対的指標を可視的に表示する。
【００７５】
以上の説明では、検索キーとなるデータ項目として「年齢」を取り上げたが、他のデータ項目、つまり性別、身長、体重、人種、病状でもよい。また、例えば、身長や体重の場合であれば、計測対象者のデータ値（例；身長１７２ｃｍ）の属する所定の範囲（１７０ｃｍ以上１８０ｃｍ未満）に含まれる被計測者のレコードが、抽出されてもよい。つまり、データ項目に係る具体的数値と一致する、若しくは、データ項目に係る具体的数値と所定の条件にあるレコードが、抽出さるのであればよい。
【００７６】
検索キー情報のデータ項目として、「被計測者ＩＤ」を設定すれば、特定の被計測者に関する履歴データが抽出され、経時的な統計データ、及び、経時的統計における相対的指標が算出されて示されることが可能になる。
【００７７】
上述の心臓硬さ指標データベースは、計測対象者の相対的指標を決定することにのみ利用されるものではないことは明らかである。例えば、データベースサーバ８０が、心臓硬さ指標データベース８２の大量のデータに基づいて、図１５に示すような年齢や性差などのデータ項目に着目した（平均値や標準偏差などの）心臓硬さ指標に関する統計値の一覧テーブルデータを、定期的に若しくは外部からの要求に従って作成し、ネットワークを通じて適宜開示するようなシステムが構築されてもよい。
【００７８】
図１４に示す心臓硬さ計測ネットワークシステムでは、心臓硬さ指標データベース８２はデータベースサーバ８０に付属するように構成されている。この心臓硬さ指標データベース８２は、超音波診断装置２の外部メモリ１６やコンピュータ７２の外部メモリ（図示せず）に構築されてもよい。そのような場合には、超音波診断装置２の制御部６やコンピュータ７２が、図１４に示すデータベースサーバ８０として動作すればよい。
【００７９】
［柔らかさ指標］
本実施形態では、「心臓硬さ指標」という数値を式（６）及び式（７）のように定義した。心臓を含む循環器の「柔らかさ」を示す指標として、以下の式（８）式（９）のもの（Ｃ１、Ｃ２）を定義することができる。Ｃ１とＣ２は、夫々、Ｅ１とＥ２の逆数である。つまり、ここでの「柔らかさ」は「硬さ」の逆数であるという意味になる。
【００８０】
【数８】
0004471230.tif 000009
【００８１】
【数９】
0004471230.tif 000010
【００８２】
［その他の画像装置］
なお、本実施形態では、診断装置は超音波の映像から内壁及び外壁の変位の情報を取得したが、超音波の映像の代わりに、内壁及び外壁の時間的な変位の情報が得られるのであれば、ＣＴやＭＲＩ等の画像を利用することもできる。
【図面の簡単な説明】
【００８３】
【図１】心臓（又は、血管）の単純モデルの斜視図である。
【図２】十分な柔らかさを有する心臓の模式的な断面図（図３（１））と、硬い心臓の模式的な断面図（図３（２））である。
【図３】収縮末期の心臓の壁厚（Ｐｒｅ）と拡張末期の心臓の壁厚（Ｐｏｓｔ）の差と、心臓の硬さ（弾性）との相関関係を示した図である。
【図４】図１に示す心臓の、平面Ｑによる超音波画像における断面図の模式的な例である。
【図５】（１）図２（１）に示すような十分な柔らかさを有する心臓における内壁の一点及びその一点の近傍の外壁の一点の、時間変位を示す図、及び（２）図２（２）に示すような硬い心臓における内壁の一点及びその一点の近傍の外壁の一点の、時間変位を示す図を示す図である。
【図６】超音波診断装置により得られる実際の画像である。
【図７】（１）十分に柔らかい心臓における収縮末期の壁厚（Ｐｒｅ）、拡張末期の壁厚（Ｐｏｓｔ）、収縮末期から拡張末期までの内壁の変位（Ｄ１）、及び、収縮末期から拡張末期までの外壁の変位（Ｄ２）の関係を示した図、及び（２）硬い心臓における収縮末期の壁厚（Ｐｒｅ）、拡張末期の壁厚（Ｐｏｓｔ）、収縮末期から拡張末期までの内壁の変位（Ｄ１）、及び、収縮末期から拡張末期までの外壁の変位（Ｄ２）の関係を示した図である。
【図８】実際の心臓に関する超音波画像から内壁の変位Ｄ１及び外壁の変位Ｄ２の情報の取得方法を説明するための図である。
【図９】本発明の実施形態における心臓ヤング率Ｅと仮想ヤング率Ｅｅを説明するための説明図である。
【図１０】実際の被験者からのデータを基に本実施形態の硬さの計測方法を用いて算出した心臓硬さ指標を示した図である（（１）は式（６）を用いて、（２）は式（７）を用いて算出した結果をそれぞれ示す）。
【図１１】本発明の実施形態における超音波診断装置の概略の構成図である。
【図１２】超音波診断装置による内壁及び外壁の位置及び変位情報の計測（取得）方法を説明するための図である。
【図１３】硬さ（弾性）計測結果を心臓の区画毎に表示色を変化させて表示する制御を説明するための図である。
【図１４】本発明の実施形態に係る超音波診断装置及び心臓硬さ指標データベースを含む心臓硬さ計測ネットワークシステムの概略の構成図である。
【図１５】心臓硬さ指標データベースの格納する属性データを示すテーブルの例である。
【図１６】図１４及び図１５に示す心臓硬さ指標データベースを利用して、計測対象者の相対的指標を決定するデータベースサーバの動作を表すフローチャートである。
【符号の説明】
【００８４】
２・・・超音波診断装置、４・・・本体、６・・・制御部、８・・・データ格納部、１０・・・主メモリ、１２・・・表示部、１４・・・操作部、１６・・・外部メモリ、１８・・・プローブ、２０・・・ケーブル、３０・・・心臓、３２・・・内壁、３４・・・外壁、３８・・・外部組織、６１・・・画像データ生成部、６３・・・壁位置値計測取得部、６５・・・硬さ算出部、６７・・・表示制御部、７０・・・ネットワーク、７２・・・コンピュータ、８０・・・データベースサーバ、８２・・・心臓硬さ指標データベース。
【図１】
0004471230.tif 000019
【図２】
0004471230.tif 000020
【図３】
0004471230.tif 000021
【図４】
0004471230.tif 000022
【図５】
0004471230.tif 000023
【図７】
0004471230.tif 000024
【図９】
0004471230.tif 000025
【図１０】
0004471230.tif 000026
【図１１】
0004471230.tif 000027
【図１２】
0004471230.tif 000028
【図１３】
0004471230.tif 000029
【図１４】
0004471230.tif 000030
【図１５】
0004471230.tif 000031
【図１６】
0004471230.tif 000032
【図６】
0004471230.tif 000033
【図８】
0004471230.tif 000034